(57)【要約】【課題】手に被着されている手袋を簡単な機構で取り外す。【解決手段】左右に延びる扁平なハウジング１６の手前側に開口した挿入口２８Ｌ，２８Ｒに、手袋を被着した手を手前側から挿入した後、可動爪４０を固定爪３０に接近する方向に移動させて双方の爪３０，４０を手袋の口に係止させ、その後、可動爪４０を固定爪３０から離間する方向に移動させて手袋の口を開き、手を手袋から引き抜いて手袋を取り外した後、可動爪４０を固定爪３０に接近させて手袋を落下させる。【選択図】          図１
2004159752.tif 000002
【特許請求の範囲】
【請求項１】
手袋を被着した手を手前側から挿入し得る手前に開口した二つの挿入口を左右に並設したハウジングを有し、該ハウジングの前記二つの挿入口のそれぞれの左右方向の一側に、挿入した手に被着された手袋の口の一側に係止される第１の係止爪が固定され、前記二つの挿入口のそれぞれの左右方向の他側に、前記手袋の口の他側に係止される第２の係止爪が、前記第１の係止爪に対して進退する左右方向に移動可能に設けられてなり、
前記手袋を被着した手を前記挿入口に手前側から挿入した後、前記第２の係止爪を前記第１の係止爪に接近する方向に移動させて該第１および第２の係止爪を前記手袋の口に係止させ、その後、前記第２の係止爪を前記第１の係止爪から離間する方向に移動させて前記手袋の口を開き、手を前記手袋から引き抜いて手袋を取り外した後、前記第２の係止爪を前記第１の係止爪に接近させて、前記手袋を落下させるようにしたことを特徴とする手袋の取外し装置。
【請求項２】
前記ハウジングが、前記第２の係止爪を移動させる機構を内部に収容した、左右に延びる扁平な箱状体からなることを特徴とする請求項１記載の装置。
【請求項３】
前記ハウジングの下方に、前記係止爪から外されて落下した手袋が回収される回収手段が設けられていることを特徴とする請求項２記載の装置。
【請求項４】
前記第２の係止爪を移動させる機構が、足踏みペダルの踏込みによって作動されることを特徴とする請求項３記載の装置。
【請求項５】
前記回収手段が、蓋付きの回収箱からなり、該回収箱の蓋が、前記足踏みペダルの踏込みに伴って開かれるように構成されていることを特徴とする請求項４記載の装置。
【発明の詳細な説明】
【０００１】
【発明の属する技術分野】
本発明は、手袋の取外し装置に関し、特に、例えば病院等において手術後の手に被着されている伸縮性を有する汚れた手袋を、衣服または肌に直接触れることなく除脱、廃棄することができる手袋の取外し装置に関するものである。
【０００２】
【従来の技術】
例えば病院の手術室または食品製造現場等では、天然ゴム、合成ゴムまたは合成樹脂製の伸縮性を有する手袋を被着して作業を行なっている。そして、使用後の汚れた手袋は一般に自らの手で外すようにしているが、その際に手袋が衣服に触れることが度々あり、特に、危険な薬品、発ガン物質、毒物、細菌、血液等で手袋が汚染されている場合でも、片方の手の手袋を取り外した後に、その片方の手で他方の手の手袋を取り外さねばならなかった。
【０００３】
そこで、汚染された手袋に手を触れることなく手袋を取り外すことができるようにするために、本出願人は特許文献１に記載されているような手袋の取外し装置を提案した。この装置は、手袋を被着した手を挿入する一対の挿入口を有し、これら挿入口の内側に、挿入した手に被着された手袋の口に係止される複数個の係止爪を相対的に開閉可能に備えている。そして、上記挿入口に手を挿入した後、上記係止爪を閉方向に移動させてこの係止爪を上記手袋の口に係止させ、その後、この係止爪を開方向に移動させた後、手を手袋から引き抜いて手袋を外すように構成されている。
【０００４】
またこの装置は、手を手袋から外した後、上記係止爪を手袋が外れる方向に傾動させる回転機構を備えている。
【０００５】
【特許文献１】国際公開ＷＯ  ０２／４９５２６  Ａ１公報
【０００６】
【発明が解決しようとする課題】
しかしながら、上記特許文献１に記載された装置には、下記のような問題点がある。
【０００７】
（１）ハウジングの上面板に、手袋を被着した手を挿入するための一対の挿入口が形成され、汚染された手袋を被着した手を上方から上記挿入口に挿入するように構成されているため、手を挿入するときに手袋に付着している汚物が挿入口の縁に付着しやすく、衛生面から好ましくない。
【０００８】
（２）係止爪を手袋の口に係止させるときに、ハウジング内部の係止爪を挿入口の上から覗かなければならないために、係止爪が見にくく、操作に慣れを必要とする。
【０００９】
（３）手を手袋から外した後、係止爪を手袋が外れる方向に傾動させる回転機構を備えているため、構造が複雑になるとともに、手袋の口に係止させた係止爪を開方向に移動させて手袋の口を開くときに、回転機構における遊び等が原因で、ややもすると、係止爪が手袋の口から外れてしまうことがある。
【００１０】
（４）連動機構が装置の縦壁に設けられ、装置が大型で高価になる。
【００１１】
上述の事情に鑑み、本発明は、上述の問題点をすべて克服し、衛生的で使用しやすく、動作が確実で小型化が容易な安価な手袋取外し装置を提供することを目的とするものである。
【００１２】
【課題を解決するための手段】
本発明による手袋取外し装置は、手袋を被着した手を手前側から挿入し得る手前に開口した二つの挿入口を左右に並設したハウジングを有し、このハウジングの二つの挿入口のそれぞれの左右方向の一側に、挿入した手に被着された手袋の口の一側に係止される第１の係止爪が固定され、上記二つの挿入口のそれぞれの左右方向の他側に、手袋の口の他側に係止される第２の係止爪が、上記第１の係止爪に対して進退する左右方向に移動可能に設けられてなり、
手袋を被着した手を上記挿入口に手前側から挿入した後、第２の係止爪を第１の係止爪に接近する方向に移動させてこれら両係止爪を手袋の口に係止させ、その後、第２の係止爪を第１の係止爪から離間する方向に移動させて手袋の口を開き、手を手袋から引き抜いて手袋を取り外した後、第２の係止爪を第１の係止爪に接近させて手袋を落下させるようにしたことを特徴とするものである。
【００１３】
上記ハウジングは、第２の係止爪を移動させる機構を内部に収容した、左右に延びる扁平な箱状体からなることが好ましい。なお、上記ハウジングの下方には、上記係止爪から外されて落下した手袋を回収する回収箱、回収袋等の回収手段が設けられる。また、上記第２の係止爪を移動させる機構は、足踏みペダルの踏込みによって作動されることが好ましい。さらに、上記回収手段が蓋付きの回収箱からなり、この回収箱の蓋が、上記足踏みペダルの踏込みに伴って開かれるように構成されていることが好ましい。
【００１４】
【発明の効果】
本発明によれば、ハウジングに形成された、手袋を被着した手を挿入する挿入口が、手前側から手を挿入し得るように手前に開口しているので、手を挿入するときに手袋に付着している汚物が挿入口の縁に付着する虞れがなくなり、衛生的である。そして、係止爪を手袋の口に係止させるときに、係止爪を挿入口の手前側から観察することができるので、係止爪が見やすく、係止爪を手袋の口に係止させることが極めて容易である。
【００１５】
また、第１の係止爪（固定爪）がハウジングに固定され、かつ第２の係止爪（可動爪）が第１の係止爪に対して進退する左右方向に移動可能に設けられていて、双方の係止爪をそれぞれ回転させるような機構は備えていないので、構造が簡単になるとともに、手袋の口に係止させた係止爪を開方向に移動させて手袋の口を開くときに、係止爪が手袋の口から外れる方向に動くという虞れもなくなる。
【００１６】
さらに、上記ハウジングが、第２の係止爪を移動させる機構を内部に収容した、左右に延びる扁平な箱状体からなる場合には、例えばハウジングの左右端を２本の支柱によって支持することができるから、ハウジングに形成された挿入口の内部に外光が届いて明るくなり、係止爪がさらに見やすくなるという大きな利点がある。また、ハウジングの下方に大きな空間が得られるので、手に被着された手袋が誤って装置の表面に触れる機会もより少なくなり、しかも、この空間が手袋の回収手段を配置し得る大きな空間ともなるので、回収手段の自由度が向上し、市販のごみ箱をそのまま利用することも可能になる。
【００１７】
さらに、第２の係止爪を移動させる機構が、足踏みペダルの踏込みによって作動されるように構成した場合、回収手段として、ペダルの踏み込みによって蓋が開く形式のごみ箱を用い、このごみ箱側のペダルを本発明の装置の足踏みペダルに連動させて蓋を開くようにすることも容易になる。
【００１８】
【発明の実施の形態】
以下、図面に示す実施の形態に基づいて本発明を詳細に説明する。
【００１９】
図１〜図５は、本発明による手袋の取外し装置の一実施の形態の構成を示す概略図で、図１は装置全体の斜視図、図２は細部を省略した正面図、図３は同側面図、図４は、ペダルが踏まれない初期状態におけるハウジング内の係止爪移動機構を上面板を取り外して示す平面図、図５は図４のＶ−Ｖ線に沿った断面図である。
【００２０】
この手袋の取外し装置１０は、コ字状の平面形状を有する台座１２と、この台座１２の左右後端から直立する一対の支柱１４，１４と、支柱１４，１４の上端に固定された左右に延びる扁平なハウジング１６と、台座１２の右端に設けられた足踏みペダル１８と、落下する使用済みの手袋を回収するために、ハウジング１６の下方において台座１２の内側に配置された回収箱２０と、支柱１４，１４間を連結して回収箱２０の奥に設けられた、支柱１４，１４の補強を兼ねるガードプレート２２とを備えている。なお、本実施の形態では、回収箱２０として、足踏み式に開く蓋２１を備えた市販のごみ箱を使用しているが、蓋の無いものでも差し支えない。
【００２１】
ハウジング１６は、図４に示すような構成を有する可動爪を移動させる機構を収容する左右に延びる上方に開口した箱状のシャーシ２４と、このシャーシ２４の上部を覆うようにシャーシ２４上に固定された、シャーシ２４の底面と略平行な上面板２６とによって構成され、図４においては、上面板２６が仮想線で示されている。ハウジング１６には、手袋を装着した左右の手を手前側から（図４の下方から）挿入し得る手前に開口した二つの挿入口２８Ｌ，２８Ｒが左右に並設されている。
【００２２】
図４および図５を参照すると、二つの挿入口２８Ｌ，２８Ｒに挟まれたシャーシ２４の中央領域には、手に被着された手袋の口の縁部の一側の内側に、すなわち手と手袋の間に係入させるための下方を向いた爪先３１をそれぞれ備えた一対の係止爪（第１の係止爪、固定爪）３０，３０が固定されており、これら係止爪３０，３０は、爪先３１，３１を互いに左右方向外側へ向けて挿入口２８Ｌ，２８Ｒの左右内側の縁に臨んでいる。
【００２３】
シャーシ２４の挿入口２８Ｌよりも左側の領域、および挿入口２８Ｒよりも右側の領域には、それぞれ第２の係止爪（可動爪）４０を担持したスライドユニット３４Ｌ，３４Ｒが設けられている。スライドユニット３４Ｌ，３４Ｒのそれぞれは、前後方向（図４の上下方向）に所定の間隔をおいてシャーシ２４上に配置された、左右方向に延びる一対のスライドガイド３６，３６に沿って摺動可能に設けられている。
【００２４】
スライドユニット３４Ｌ，３４Ｒのそれぞれには、一対のガイドピン３８，３８を前後方向（図４の上下方向）に所定の間隔をおいて備えた爪支持板３９がスライドユニット３４Ｌ，３４Ｒに対して左右方向に若干距離だけ移動可能に取り付けられ、この爪支持板３９に、固定爪３０と同様に下方を向いた爪先４１を備えた第２の係止爪（可動爪）４０が、図５に示すように、爪先４１を固定爪３０の爪先３１に対向させて、挿入口２８Ｌ，２８Ｒの左右方向外側の縁に臨んでいる。各ガイドピン３８には緩衝用のコイルスプリング４２が装着され、これによって、各可動爪４０が、固定爪３０側に向かって付勢された状態でスライドユニット３４Ｌ，３４Ｒ上にそれぞれ支持されている。
【００２５】
次に、可動爪４０，４０を左右方向に移動させるスライドユニット３４Ｌ，３４Ｒの駆動機構について説明する。
【００２６】
図４において、右側のスライドユニット３４Ｒの後方のシャーシ２４上に軸４３Ｒが設けられ、この軸４３Ｒに、アームプレート４４Ｒの中間部が回動可能に軸支され、このアームプレート４４Ｒの前端が、スライドユニット３４Ｒ上に設けられた軸４５Ｒに軸支されている。また、左側のスライドユニット３４Ｌの後方のシャーシ２４上に設けられた軸４３Ｌに、アームプレート４４Ｌの中間部が回動可能に軸支され、このアームプレート４４Ｌの前端が、スライドユニット３４Ｌ上に設けられた軸４５Ｌに軸支されている。さらに、シャーシ２４の中央部にも軸４３Ｃが設けられ、この軸４３Ｃに、アームプレート４４Ｌ，４４Ｒも短いアームプレート４４Ｃの中間点が軸支されている。
【００２７】
軸４３Ｌ，４３Ｒ，４３Ｃはシャーシ２４の底面に対して垂直な軸線を有し、アームプレート４４Ｌ，４４Ｒ，４４Ｃはシャーシ２４の底面および上面板２６と略平行な面内で回動可能に配置されている。
【００２８】
さらに、右側のアームプレート４４Ｒの後端と中央のアームプレート４４Ｃの後端とが、リンクプレート４６Ｒによって連結され、左側のアームプレート４４Ｌの後端と中央のアームプレート４４Ｃの前端とが、リンクプレート４６Ｌによって連結されている。したがって、右側のアームプレート４４Ｒが図４に示す位置から軸４３Ｒを中心にして時計方向に回動されると、左側のアームプレート４４Ｌが軸４３Ｌを中心にして反時計方向に回動され、これによって、右側のスライドユニット３４Ｒが図４に示す位置から左方へ移動し、同時に左側のスライドユニット３４Ｌが図４に示す位置から右方へ移動することになるが、アームプレート４４Ｌ，４４Ｒの長さおよび軸４３Ｌ，４３Ｒの軸支位置が互いに等しく、またアームプレート４４Ｃの中間点が軸４３Ｃによって軸支されていることにより、アームプレート４４Ｌ，４４Ｒの回動角度およびスライドユニット３４Ｌ，３４Ｒの移動距離が互いに等しくなるように（方向は逆）構成されている。
【００２９】
右側のアームプレート４４Ｒは、その後端近傍とシャーシ２４との間に懸装された引っ張りスプリング４７によって反時計方向に付勢され、中央のアームプレート４４Ｃも、その後端近傍とシャーシ２４との間に懸装された引っ張りスプリング４８によって反時計方向に付勢されているが、シャーシ２４上に立設されたストッパ４９に中央のアームプレート４４Ｃが当接することによって、スライドユニット３４Ｌ，３４Ｒが、したがってスライドユニット３４Ｌ，３４Ｒ上の可動爪４０，４０が図４に示す位置に保持されている。スライドユニット３４Ｒ，３４Ｌは、図４に仮想線で示すカバー３５によってそれぞれ上方を覆われている。
【００３０】
本実施の形態においては、上述のようなリンク機構を介したスライドユニット３４Ｌ，３４Ｒの駆動手段として、図１〜図３に示す足踏みペダル１８と、このペダル１８とハウジング１６内のリンク機構との間に接続されたワイヤ５０とを用いている。
【００３１】
図３から明らかなように、手前側を軸５１によって台座１２上に軸支されたペダル１８は、その軸５１側とは反対側の端部にワイヤ係止部５２を備えており、このワイヤ係止部５２に下端を係止されたワイヤ５０が、右側の中空の支柱１４内を通って上方へ延びている。
【００３２】
ワイヤ５０の上部は、図４に示すようにシャーシ２４の右後隅に形成された開口部５４からハウジング１６内に入り、この開口部５４に臨むようにシャーシ２４に設けられたプーリ５６を通って左方へ方向を変えられ、ワイヤ５０の上端は、右側のアームプレート４４Ｒとリンクプレート４６Ｒとの連結部に接続されている。このような構成によって、ペダル１８は、図３に示すように奥側が上になった傾斜した踏込み可能な状態で、ワイヤ５０によって支持されている。
【００３３】
この初期状態からペダル１８を踏み込むと、ワイヤ５０に引かれて右側および中央のアームプレート４４Ｒ，４４Ｃがスプリング４７，４８を伸ばしながら時計方向に回動して、スライドユニット３４Ｒを左方へ移動させ、同時に左側のアームプレート４４Ｌも反時計方向に回動して、スライドユニット３４Ｌを右方へ移動させ、図４に対応する平面図である図６、および図６のＶＩＩ−ＶＩＩ線に沿った断面図である図７に示すように、左右の可動爪４０，４０がそれぞれ固定爪３０，３０に接近した状態となる。
【００３４】
一方、ペダル１８の傍らには、図３に示すように台座１２から垂直に上方へ延びるスライドガイド５８が立設され、このスライドガイド５８にスライド板６０が上下方向に摺動可能に取り付けられている。スライド板６０には、回収箱２０の蓋２１を開けるためのペダル６６（図２参照）を、装置１０側のペダル１８の踏込みに伴って押し下げるペダル押下げ板６２が取り付けられている。このペダル押下げ板６２は、スライド板６０から延びる水平部分を有し、この水平部分が、ペダル１８の側面に上下に近接して取り付けられた２個のローラーベアリング６４，６４の間に挟まれており、装置１０のペダル１８を踏み込むと、ベアリング６４，６４がペダル押下げ板６２の水平部分の上下面上を転動しながらペダル押下げ板６２をスライド板６０とともに押し下げるので、このペダル押下げ板６２によって回収箱２０のペダル６６が図３に仮想線で示す位置まで押し下げられ、これによって回収箱２０の蓋２１が、図２および図３に仮想線で示すように開くように構成されている。
【００３５】
次に、以上説明した手袋の取外し装置１０の動作について、図８および図９をも参照して説明する。
【００３６】
（１）先ず、図１および図４，５に示す初期状態において、この装置１０のペダル１８を踏み込むと、ペダル押下げ板６２が回収箱２０のペダル６６を押し下げるので、回収箱２０の蓋２１が開く。また、ペダル１８の踏込により、このペダル１８とハウジング１６内のスライドユニット駆動機構とを連結しているワイヤ５０も引かれるが、このときのペダル１８の踏込みは単に回収箱２０の蓋２１を開けるために行なうもので、蓋２１が開けば、直ちにペダル１８から足を離して、引っ張りスプリング４７，４８の付勢力でスライドユニット駆動機構を初期状態に戻す。なお、回収箱２０が図示のような蓋２１を備えていない場合等では、この準備操作は不要である。
【００３７】
（２）図８に示すように、手に手袋Ｇを被着した左右の手を、ハウジング１６の手前の開口から挿入口２８Ｌ，２８Ｒに挿入する。
【００３８】
（３）ペダル１８を踏み込み、可動爪４０，４０を左右の腕に接近させ、固定爪３０の爪先３１と可動爪４０の爪先４１とを、手袋Ｇの口よりも上方の腕の部分に左右から密着させる。各可動爪４０は、緩衝用のコイルスプリング４２，４２を介してスライドユニット３４Ｌ，３４Ｒに連結されているので、可動爪４０は手に軟らかく弾接する。
【００３９】
（４）腕を上方へ引き上げ、手袋Ｇの口の縁部の内側に、すなわち、手袋Ｇの口の縁部と手との間に爪先３１，４１を係入させる。
【００４０】
（５）ペダル１８から足を離し、引っ張りスプリング４７，４８の付勢力で可動爪４０，４０を初期位置まで後退させる。これにより、可動爪４０に引っ張られて手袋Ｇの口が左右に開くから、手を手袋Ｇの口から抜き出せば、図９に示すように、手袋Ｇが爪３０，４０によって係止されたままの状態で保持されているために、手を手袋Ｇから引き抜くことができる。この際、手袋Ｇが手に密着している場合であっても、手の引抜きにより手袋Ｇは裏返しになり、手から容易に外れる。
【００４１】
（６）再びペダル１８を踏み込み、可動爪４０，４０を固定爪３０，３０にそれぞれ接近させることにより、手袋Ｇ，Ｇを係止爪３０，３０；４０，４０から外して回収箱２０内に落とす。そして、ペダル１８から足を離し、蓋２１を閉める。
【００４２】
このようにして、両手に被着された使用済み手袋Ｇ，Ｇを、衣服、肌等に触れることなく容易に取り外すことができる。
【００４３】
以上の説明で明らかなように、本実施の形態によれば、ハウジング１６に形成された、手袋Ｇを被着した手を挿入する挿入口２８Ｌ，２８Ｒが、手前側から手を挿入し得るように手前に開口しているので、手を挿入するときに手袋Ｇ，Ｇに付着している汚物が挿入口２８Ｌ，２８Ｒの縁に付着する虞れがなくなり、衛生的である。
【００４４】
そして、挿入口２８Ｌ，２８Ｒが手前に開口しているので、係止爪３０，３０；４０，４０を手袋Ｇ，Ｇの口に係止させるときに、係止爪３０，３０；４０，４０を挿入口２８Ｌ，２８Ｒの手前側から観察することができ、しかも、可動爪４０，４０を移動させる機構を内部に収容したハウジング１６が、左右端を２本の支柱１４，１４によって支持することが可能な、左右に延びる扁平な箱状体をしているために、挿入口２８Ｌ，２８Ｒの内部は外光が届いて明るくなり、係止爪３０，３０；４０，４０が極めて見やすくなる。したがって、係止爪３０，３０；４０，４０を手袋Ｇ，Ｇの口に係止させることが極めて容易であるという利点を有する。
【００４５】
また、左右に延びる扁平な箱状体からなるハウジング１６が２本の支柱１４，１４によって支持されているために、ハウジング１６の下方に大きな空間が得られるので、手に被着された手袋Ｇが誤って装置の表面に触れる機会もより少なくなり、より衛生的である。しかも、ハウジング１６の下方の空間が手袋Ｇの回収手段を配置し得る大きな空間ともなり、回収手段の自由度が向上し、市販のごみ箱、ごみ袋をそのまま利用することも可能になった。
【００４６】
さらに、固定爪３０，３０がハウジング１６に固定され、かつ可動爪４０，４０が固定爪３０，３０に対して進退する左右方向にのみ移動可能に設けられていて、係止爪を回転させるような機構は備えていないので、構造が簡単になるとともに、手袋Ｇの口に係止させた可動爪４０，４０を開方向に移動させて手袋Ｇの口を開くときに、係止爪３０，４０が手袋Ｇの口から外れる方向に動くという虞れもなくなる。
【００４７】
さらに、可動爪４０，４０を移動させる機構が、足踏みペダル１８の踏込みによって作動されるように構成されているので、回収手段として、ペダル６６の踏み込みによって蓋２１が開く形式の回収箱２０を用い、この回収箱２０のペダル６６を装置１０の足踏みペダル１８に連動させて蓋２１を開くようにすることが容易である。
【００４８】
さらに、ハウジング１６内のスライドユニット駆動機構を、ハウジング１６の上面板２６に平行な面内で回動するアームプレート４４Ｌ，４４Ｃ，４４Ｒおよびそれらを連結するリンクプレート４６Ｌ，４６Ｒによって構成することにより、ハウジング１６の扁平化を実現することが可能になった。
【００４９】
なお、本実施の形態では、足踏みペダル１８およびワイヤ５０を用いて可動爪４０，４０を機械的に移動させるようにして、装置１０の単純化を図っているが、本発明はこれに限定されるものではなく、例えば、足踏みペダル１８とワイヤ５０の代わりに、フットスイッチと電動モータを用いて電気的に可動爪４０，４０を移動させるように構成することもできる。また、その場合に、手袋Ｇを被着した手が挿入口２８Ｌ，２８Ｒに挿入されたことをセンサが感知して装置を自動的に起動させるようにしてもよい。さらには、手を手袋Ｇ，Ｇから引き抜いた後、タイマによって可動爪４０，４０を固定爪３０，３０に向かって接近させ、手袋Ｇ，Ｇを自動的に落下させるようにしてもよい。
【００５０】
さらに、扁平で軽量なハウジング１６を支柱１４，１４で支持する代わりに、壁に取り付けるようにしてもよい。
【図面の簡単な説明】
【図１】本発明による手袋取外し装置の一実施の形態を示す装置全体の斜視図
【図２】同、細部を省略した正面図
【図３】同、側面図
【図４】ペダルが踏まれない初期状態におけるハウジング内の係止爪移動機構を上面板を取り外した状態で示す平面図
【図５】図４のＶ−Ｖ線に沿った断面図
【図６】ペダルが踏まれた作動状態におけるハウジング内の係止爪移動機構を図４に対応させて示す平面図
【図７】図６のＶＩＩ−ＶＩＩ線に沿った断面図
【図８】本発明による手袋取外し装置の操作開始状態を示す説明図
【図９】同、操作終了直前の状態を示す説明図
【符号の説明】
１０    手袋取外し装置
１６    ハウジング
１８    足踏みペダル
２０    回収箱
２１    回収箱の蓋
２４    シャーシ
２６    上面板
２８Ｌ，２８Ｒ    挿入口
３０    第１の係止爪（固定爪）
３４Ｌ，３４Ｒ    スライドユニット
４０    第２の係止爪（可動爪）
４４Ｌ，４４Ｃ，４４Ｒ    アームプレート
４６Ｌ，４６Ｒ    リンクプレート
５０    ワイヤ
【図１】
2004159752.tif 000003
【図２】
2004159752.tif 000004
【図３】
2004159752.tif 000005
【図４】
2004159752.tif 000006
【図５】
2004159752.tif 000007
【図６】
2004159752.tif 000008
【図７】
2004159752.tif 000009
【図８】
2004159752.tif 000010
【図９】
2004159752.tif 000011